(57)【要約】【課題】  省電力、耐久性、高照度の機能を有し、洗浄効率及び実用的効果が高く、キッチン、浴室などの清掃に利用することができる蛇口構造を提供する。【解決手段】  蛇口構造は、蛇口１０、発電装置２０及び回路基板３０を備えたものであり、蛇口１０は、水路１１と、水路１１に設けられた収納室１１１と、下部に設けられた照明口１２とを有する。発電装置２０は、蛇口１０の収納室１１１の中に配置され、羽根車２１、第１磁性素子２２、第２磁性素子２３及びコイル体２４が順次配置され、羽根車２１は、第１磁性素子２２と接続され、第２磁性素子２３は、コイル体２４と接続され、第１磁性素子２２は、第２磁性素子２３により吸引される。回路基板３０は、発電装置２０のコイル体２４と電気的に接続され、蛇口１０の照明口１２に対応するように設けられた発光ダイオード３１を有する。【選択図】  図１
0003163720.tif 000002
【実用新案登録請求の範囲】
【請求項１】
蛇口、発電装置及び回路基板を備える蛇口構造であって、
前記蛇口は、水路と、前記水路に設けられた収納室と、下部に設けられた照明口とを有し、
前記発電装置は、前記蛇口の前記収納室の内部に配置され、羽根車、第１磁性素子、第２磁性素子及びコイル体が順次配置され、前記羽根車は、前記第１磁性素子と接続され、  前記第２磁性素子は、前記コイル体と接続され、前記第１磁性素子は、前記第２磁性素子により吸引され、
前記回路基板は、前記発電装置の前記コイル体と電気的に接続され、前記蛇口の前記照明口に対応するように設けられた発光ダイオードを有することを特徴とする蛇口構造。
【請求項２】
前記発電装置は、前記蛇口の前記水路に対して平行になるように配置され、左から右方向へかけて順次配置された前記羽根車、前記第１磁性素子、前記第２磁性素子及び前記コイル体を有し、
前記第２磁性素子は、前記コイル体と接続され、
前記第１磁性素子は、前記第２磁性素子により吸引されることを特徴とする請求項１に記載の蛇口構造。
【請求項３】
前記発電装置は、前記蛇口の前記水路に対して垂直になるように配置され、上から下方向へかけて順次配置された前記羽根車、前記第１磁性素子、前記第２磁性素子及び前記コイル体を有し、
前記第２磁性素子は、前記コイル体と接続され、
前記第１磁性素子は、前記第２磁性素子により吸引されることを特徴とする請求項１に記載の蛇口構造。
【請求項４】
前記蛇口の前記収納室は、上収納室及び下収納室を有し、
前記上収納室は、前記下収納室と隔離され、前記蛇口の前記水路と連通した流入口及び流出口が両側に設けられ、
前記下収納室の一端は、前記蛇口の外部に連通していることを特徴とする請求項３に記載の蛇口構造。
【請求項５】
前記羽根車及び前記第１磁性素子は、前記蛇口の前記上収納室内に配置され、
前記第２磁性素子及び前記コイル体は、前記蛇口の前記下収納室内に配置され、
前記第１磁性素子は、前記第２磁性素子と所定の距離で離間され、互いに吸引しあうことを特徴とする請求項４に記載の蛇口構造。
【請求項６】
前記第１磁性素子は、第１ハウジング及び第１磁石を有し、
前記第２磁性素子は、第２ハウジング及び第２磁石を有し、
前記第１ハウジングは、第１凸軸部を有し、前記第１磁石は、中央部に開設された第１係入孔を有し、前記第１ハウジングの前記第１凸軸部に前記第１磁石を嵌合させ、
前記第２ハウジングは、第２凸軸部を有し、前記第２磁石は、中央部に開設された第２係入孔を有し、前記第２ハウジングの前記第２凸軸部に前記第２磁石を嵌合させることを特徴とする請求項１に記載の蛇口構造。
【請求項７】
前記発電装置の前記コイル体は、ハウジング、枢着ピン、コイル及び２つの磁石を有し、
前記枢着ピンは、前記ハウジング内に配置され、前記第２ハウジングの前記第２凸軸部の枢着孔に枢着する前記ハウジングから突設された一端を有し、
前記コイルは、前記枢着ピンに巻き付けられ、
前記２つの磁石は、前記コイルと離間するように、前記ハウジングの内側で互いに対向するように配置されることを特徴とする請求項６に記載の蛇口構造。
【請求項８】
前記発電装置の前記コイル体は、ハウジング、枢着ピン、コイル及び２つの磁石を有し、
前記枢着ピンは、前記ハウジング内に配置され、前記第２ハウジングの前記第２凸軸部の枢着孔に枢着する前記ハウジングから突設された一端を有し、
前記２つの磁石は、前記枢着ピンの両側へ配置され、
前記コイルは、前記２つの磁石と離間するように、前記枢着ピンに環設されることを特徴とする請求項６に記載の蛇口構造。
【請求項９】
前記羽根車は、前記第１磁性素子の第１ハウジングと一体成形されることを特徴とする請求項１に記載の蛇口構造。
【考案の詳細な説明】
【技術分野】
【０００１】
本考案は、蛇口構造に関するものであり、さらに詳しくは、蛇口、発電装置及び回路基板の組み合わせにより、省電力、耐久性、高照度の機能を有し、洗浄効率及び実用的価値が高く、キッチン、浴室などの清掃に利用することができる蛇口構造に関するものである。
【背景技術】
【０００２】
人は３日間食べなくても生きられるが、水は１日飲まないだけでも生きられなくなると言われていることから分かるように、人が生きていく上で水は非常に重要である。水は飲用以外に、清掃にも使用される。一般に水は水道管を介して蛇口から供給されるが、一般の蛇口は、単純な出水機能しか備えていないものがほとんどであり、蛇口に照明装置を備えたものは開発されていなかった。そのため、例えば、果物、野菜、調理器具、食器などを洗浄したり、手を洗う際、洗浄効果を十分確認できない場合があり、完全に清潔にすることができず、最悪な場合、健康に悪影響を与える虞があった。さらに、使用する時間帯が夜間であったり、照明が十分でなく暗い場合、光線不足により視界不良となり、蛇口の操作に悪影響を与える虞がある。
【０００３】
かかる状況下において、洗浄効果及び利便性が高い蛇口構造が求められていた。
【考案の開示】
【考案が解決しようとする課題】
【０００４】
従って、本考案の課題は、消費電力が少なく、耐久性が高く、照度が高い上に、洗浄効果及び利便性が高い蛇口構造を提供することにある。
【０００５】
本考案のもう一つの課題は、コストを下げ、安全性が高い蛇口構造を提供することにある。
【課題を解決するための手段】
【０００６】
そこで、本考案者は、前記の本考案の課題を解決するため鋭意検討を重ねた結果、蛇口の収納室の内部に発電装置を配置し、回路基板と接続し、回路基板上に発光ダイオードを配置することにより、前記の課題を解決できることに着目した。また、上収納室および下部収納室を設け、羽根車及び第１磁性素子は上収納室内に配置し、第２磁性素子及びコイル体は下収納室内に配置することに第２の課題を解決できることに着目し、かかる知見に基いて本考案に想到した。
【０００７】
かくして、本考案によれば、蛇口、発電装置及び回路基板を備える蛇口構造であって、前記蛇口は、水路と、前記水路に設けられた収納室と、下部に設けられた照明口と、を有し、前記発電装置は、前記蛇口の前記収納室の中に配置され、羽根車、第１磁性素子、第２磁性素子及びコイル体が順次配置され、前記羽根車は、前記第１の磁性素子と接続され、前記第２磁性素子は、前記コイル体と接続され、前記第１磁性素子は、前記第２磁性素子により吸引され、前記回路基板は、前記発電装置の前記コイル体と電気的に接続され、前記蛇口の前記照明口に対応するように設けられた発光ダイオードを有することを特徴とする蛇口構造が提供される。
【０００８】
前記発電装置は、前記蛇口の前記水路に対して平行になるように配置され、左から右方向へかけて順次配置された前記羽根車、前記第１磁性素子、前記第２磁性素子及び前記コイル体を有し、前記第２磁性素子は、前記コイル体と接続され、前記第１磁性素子は、前記第２磁性素子により吸引されることが好ましい。
【０００９】
前記発電装置は、前記蛇口の前記水路に対して垂直になるように配置され、上から下方向へかけて順次配置された前記羽根車、前記第１磁性素子、前記第２磁性素子及び前記コイル体を有し、前記第２磁性素子は、前記コイル体と接続され、前記第１磁性素子は、前記第２磁性素子により吸引されることが好ましい。
【００１０】
前記蛇口の前記収納室は、上収納室及び下収納室を有し、前記上収納室は、前記下収納室と隔離され、前記蛇口の前記水路と連通した流入口及び流出口が両側に設けられ、前記下収納室の一端は、前記蛇口の外部に連通していることが好ましい。
【００１１】
前記羽根車及び前記第１磁性素子は、前記蛇口の前記上収納室内に配置され、前記第２磁性素子及び前記コイル体は、前記蛇口の前記下収納室内に配置され、前記第１磁性素子は、前記第２磁性素子と所定の距離で離間され、互いに吸引しあうことが好ましい。
【００１２】
前記第１磁性素子は、第１ハウジング及び第１磁石を有し、前記第２磁性素子は、第２ハウジング及び第２磁石を有し、前記第１ハウジングは、第１凸軸部を有し、前記第１磁石は、中央部に開設された第１の係入孔を有し、前記第１ハウジングの前記第１凸軸部に前記第１磁石を嵌合させ、前記第２ハウジングは、第２凸軸部を有し、前記第２磁石は、中央部に開設された第２係入孔を有し、前記第２ハウジングの前記第２凸軸部に前記第２磁石を嵌合させることが好ましい。
【００１３】
前記発電装置の前記コイル体は、ハウジング、枢着ピン、コイル及び２つの磁石を有し、前記枢着ピンは、前記ハウジング内に配置され、前記第２ハウジングの前記第２凸軸部の枢着孔に枢着する前記ハウジングから突設された一端を有し、前記コイルは、前記枢着ピンに巻き付けられ、前記２つの磁石は、前記コイルと離間するように、前記ハウジングの内側で互いに対向するように配置されることが好ましい。
【００１４】
前記発電装置の前記コイル体は、ハウジング、枢着ピン、コイル及び２つの磁石を有し、前記枢着ピンは、前記ハウジング内に配置され、前記第２ハウジングの前記第２凸軸部の枢着孔に枢着する前記ハウジングから突設された一端を有し、前記２つの磁石は、前記枢着ピンの両側へ配置され、前記コイルは、前記２つの磁石と離間するように、前記枢着ピンに環設されることが好ましい。
【００１５】
前記羽根車は、前記第１磁性素子の第１ハウジングと一体成形されることが好ましい。
【考案の効果】
【００１６】
本考案の蛇口構造は、省電力、耐久性、高照度の機能を有し、洗浄効率が高く、実用的な価値も優れており、キッチン、浴室などの清掃に利用することができる。
【図面の簡単な説明】
【００１７】
【図１】本考案の第１実施形態による蛇口構造を示す斜視図である。
【図２】本考案の第１実施形態による蛇口構造の発電装置を示す分解斜視図である。
【図３】本考案の第１実施形態による蛇口構造を示す部分断面図である。
【図４】本考案の第１実施形態による蛇口構造の使用状態を示す模式図である。
【図５】本考案の第２実施形態による蛇口構造を示す部分断面図である。
【考案を実施するための最良の形態】
【００１８】
以下、本考案の実施形態について図面に基づいて説明する。なお、これによって本考案が限定されるものではない。
（第１実施形態）
図１〜図３を参照する。図１〜図３に示すように、本考案の第１実施形態による蛇口構造は、蛇口１０、発電装置２０及び回路基板３０を含む。
【００１９】
蛇口１０は、収納室１１１が設けられた水路１１を有する。収納室１１１の両側には、蛇口１０の水路１１と連通した流入口１１２及び流出口１１３が設けられている。本実施形態の収納室１１１は、上収納室１１４及び下収納室１１５を含む。上収納室１１４は、下収納室１１５と隔離され、流入口１１２及び流出口１１３が両側に設けられている。流入口１１２及び流出口１１３は、蛇口１０の水路１１と連通している。蛇口１０の下部には、収納室１１１の内部部品を保護するために用いる透明カバー１２１が配置された照明口１２が設けられている。
【００２０】
発電装置２０は、蛇口１０の収納室１１１の内部に配置されている。発電装置２０は、蛇口１０の水路１１に対して垂直になるように配置されている。発電装置２０には、上から下方向へかけて羽根車２１、第１磁性素子２２、第２磁性素子２３及びコイル体２４が順次配置されている。羽根車２１は、第１磁性素子２２と接続されている。ここで、羽根車２１は、第１実施形態では、第１磁性素子２２の第１ハウジング２２１と接着されているが、この態様だけに限定されるわけではなく、他の実施形態では、羽根車２１は、第１磁性素子２２の第１ハウジング２２１と一体成形されてもよい。第２磁性素子２３は、コイル体２４と接続され、第１磁性素子２２は、第２磁性素子２３により吸引される。羽根車２１及び第１磁性素子２２は、蛇口１０の上収納室１１４内に配置されている。第２磁性素子２３及びコイル体２４は、蛇口１０の下収納室１１５内に配置されている。第１磁性素子２２は、第２磁性素子２３と所定の距離で離間され、互いに吸引しあう。第１磁性素子２２は、第１のハウジング２２１及び第１磁石２２２を含む。第２磁性素子２３は、第２ハウジング２３１及び第２磁石２３２を含む。第１ハウジング２２１は、第１凸軸部２２３を有し、第１磁石２２２は、中央部に開設された第１係入孔２２４を有し、第１ハウジング２２１の第１凸軸部２２３に第１磁石２２２を嵌合させる。第２ハウジング２３１は、第２凸軸部２３３を有する。第２磁石２３２は、中央部に開設された第２係入孔２３４を有し、第２ハウジング２３１の第２凸軸部２３３に第２磁石２３２を嵌合させる。第２凸軸部２３３は、枢着孔２３５を有し、発電装置２０のコイル体２４は、ハウジング２４１、枢着ピン２４２、コイル２４３及び２つの磁石２４４を含む。枢着ピン２４２は、ハウジング２４１内に配置され、第２ハウジング２３１の枢着孔２３５に枢着され、ハウジング２４１から突設された一端を有する。コイル２４３は、枢着ピン２４２に巻き付けられ、２つの磁石２４４は、コイル２４３と離間するように、ハウジング２４１内で互いに対向するように配置されている。
【００２１】
回路基板３０は、発電装置２０のコイル体２４と電気的に接続されている。ここで、第１実施形態では電線を利用して電気的に接続しているが、この態様だけに限定されるわけではなく、他の実施形態では、導電片又はその他の導電物を利用して電気的に接続してもよい。回路基板３０は、蛇口１０の照明口１２に対応するように設けられた発光ダイオード３１を有する。
【００２２】
図１〜図４を参照する。図１〜図４に示すように、蛇口１０を開くと、蛇口１０の水路１１を水が流れ、収納室１１１の流入口１１２から収納室１１１内に入り、流出口１１３から排水される。発電装置２０は、蛇口１０の水路１１に対して垂直になるように配置され、水が連続的に流れると、発電装置２０の羽根車２１が高速で回転される。第１磁性素子２２は、羽根車２１に接続され、羽根車２１により回転される。第２磁性素子２３は、第１磁性素子２２により吸引され、コイル体２４の枢着ピン２４２の一端が、第２ハウジング２３１の第２凸軸部２３３の枢着孔２３５と枢着されているため、枢着ピン２４２は、第２磁性素子２３により駆動され、枢着ピン２４２に巻き付けられたコイル２４３を回転させる。これにより、ハウジング２４１内に配置された互いに対向するように配置された２つの磁石２４４との電磁誘導作用により、発電装置２０のコイル体２４と電気的に接続された回路基板３０へ電流が流れ、回路基板３０上に配置した発光ダイオード３１が点灯し、蛇口１０の照明口１２を介して光線が照射される。これにより、照明を強化し、洗浄効果を高めることができる。本実施形態では、消費電力を減らして耐久性を高めるために、光源として発光ダイオード３１を用いてもよい。上収納室１１４は、下収納室１１５と隔離されている。発電装置２０の羽根車２１及び第１磁性素子２２は、蛇口１０の上収納室１１４内に配置されている。第２磁性素子２３及びコイル体２４は、蛇口１０の下収納室１１５内に配置することにより、送水過程でコイル体２４に水が接触して部品を損壊させることを防ぐことができ、コストを下げて安全性を高めることができる。
（第２実施形態）
図２及び図５を参照する。図２及び図５に示すように、本考案の第２実施形態による蛇口構造は、蛇口１０、発電装置２０及び回路基板３０を含む。
【００２３】
蛇口１０は、水路１１を有する。水路１１には収納室１１１が設けられている。収納室１１１の両側には、蛇口１０の水路１１に連通した流入口１１２及び流出口１１３が設けられている。蛇口１０の下部には、収納室１１１の内部部品を保護するために用いる透明カバー１２１が配置された照明口１２が設けられている。
【００２４】
発電装置２０は、蛇口１０の収納室１１１の中に配置されている。発電装置２０は、蛇口１０の水路１１に対して平行になるように配置されている。発電装置２０には、左から右方向へかけて羽根車２１、第１磁性素子２２、第２磁性素子２３及びコイル体２４が順次配置されている。羽根車２１は、第１磁性素子２２と接続されている。ここで、第２実施形態では、羽根車２１は、第１磁性素子２２の第１ハウジング２２１に接着されているが、この態様だけに限定されるわけでなく、他の実施形態では、羽根車２１が第１磁性素子２２の第１ハウジング２２１と一体成形されてもよい。第２磁性素子２３は、コイル体２４と接続され、第１磁性素子２２は、第２磁性素子２３により吸引される。第１磁性素子２２は、第１ハウジング２２１及び第１磁石２２２を含む。第２磁性素子２３は、第２ハウジング２３１及び第２磁石２３２を含む。第１ハウジング２２１は、第１凸軸部２２３を有し、第１磁石２２２は、中央部に開設された第１係入孔２２４を有し、第１ハウジング２２１の第１凸軸部２２３に第１磁石２２２を嵌合させる。第２ハウジング２３１は、第２凸軸部２３３を有する。第２磁石２３２は、中央部に開設した第２係入孔２３４により、第２ハウジング２３１の第２凸軸部２３３に第２磁石２３２を嵌合させる。第２凸軸部２３３は、枢着孔２３５を有し、発電装置２０のコイル体２４は、ハウジング２４１、枢着ピン２４２、コイル２４３及び２つの磁石２４４を含む。枢着ピン２４２は、ハウジング２４１内に配置され、第２ハウジング２３１の第２凸軸部２３３の枢着孔２３５と枢着され、ハウジング２４１から突設された一端を有する。２つの磁石２４４は、枢着ピン２４２の両側へ配置されている。コイル２４３は、枢着ピン２４２に環設され、２つの磁石２４４と離間されている。
【００２５】
回路基板３０は、発電装置２０のコイル体２４と電気的に接続されている。ここで、第２実施形態では電線を利用して電気的に接続しているが、この態様だけに限定されるわけではなく、導電片又はその他の導電物を利用して電気的に接続してもよい。回路基板３０上には、蛇口１０の照明口１２に対応するように発光ダイオード３１が配置されてもよい。
【００２６】
蛇口１０を開くと、水路１１を介して水が送られ、収納室１１１の流入口１１２から収納室１１１内に水が入り、収納室１１１の流出口１１３から流出する。水が連続的に送られると、発電装置２０の羽根車２１が回転される。第１磁性素子２２は、羽根車２１に接続され、第１磁性素子２２は、羽根車２１により回転される。第２磁性素子２３は、第１磁性素子２２により吸引され、コイル体２４の枢着ピン２４２の一端は、第２ハウジング２３１の第２の凸軸部２３３の枢着孔２３５に枢着されているため、枢着ピン２４２は、第２磁性素子２３により駆動され、枢着ピン２４２の両側に配置された２つの磁石２４４が回転すると、枢着ピン２４２の外側に配置されたコイル２４３との電磁誘導作用により、発電装置２０のコイル体２４と電気的に接続された回路基板３０へ電流が流れ、回路基板３０上に配置した発光ダイオード３１が点灯し、蛇口１０の照明口１２を介して光線が照射される。これにより、照度を高め、清掃を効率的に行うことができる。本実施形態では、消費電力を減らして耐久性を高めるために、発光ダイオード３１を光源に用いている。
【００２７】
本考案の一実施形態による蛇口構造は、蛇口１０の収納室１１１の中に配置され、回路基板３０と電気的に接続された発電装置２０を有する。回路基板３０上には、発光ダイオード３１が配置されている。そのため、本実施形態の蛇口構造は、消費電力が少なく、耐久性が高く、照度が高い上に、洗浄効果及び利便性が高い。蛇口１０の収納室１１１は、上収納室１１４及び下収納室１１５を含む。上収納室１１４は、下収納室１１５と隔離されている。羽根車２１及び第１磁性素子２２は、蛇口１０の上収納室１１４内に配置されている。第２磁性素子２３及びコイル体２４は、蛇口１０の下収納室１１５内に配置されている。これにより、本実施形態の蛇口構造は、コストを低減し、安全性を高めることができる。
【００２８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の範囲は、このような変更や修正を含めて広く解釈されるべきである。
【符号の説明】
【００２９】
１０  蛇口
１１  水路
１２  照明口
２０  発電装置
２１  羽根車
２２  第１磁性素子
２３  第２磁性素子
２４  コイル体
３０  回路基板
３１  発光ダイオード
１１１  収納室
１１２  流入口
１１３  流出口
１１４  上収納室
１１５  下収納室
１２１  透明カバー
２２１  第１ハウジング
２２２  第１磁石
２２３  第１凸軸部
２２４  第１係入孔
２３１  第２ハウジング
２３２  第２磁石
２３３  第２凸軸部
２３４  第２係入孔
２３５  枢着孔
２４１  ハウジング
２４２  枢着ピン
２４３  コイル
２４４  磁石
【図１】
0003163720.tif 000003
【図２】
0003163720.tif 000004
【図３】
0003163720.tif 000005
【図４】
0003163720.tif 000006
【図５】
0003163720.tif 000007